(57)【要約】      （修正有）【課題】敷き布団本体の足元に段差のあるマットを装着し、暖めながら楽な姿勢を保つヘルニア足上げ電気敷き布団の提供。【解決手段】敷き布団本体４は背部全体に整感圧６を設け下層部にメッシュ素材４ａで通気性を良くし段差のあるマット３を装着し、取り外し可能なマジックテープ５で固定し、更にウレタン２を使用の整感圧を設け電気で熱を伝える電熱マット２ａを設置し、より良い保温性を高め上部保護カバー１をかぶせて、ファスナー１ａで袋状に装着し熱が逃げないようにして電気切替装置の強弱切替え装置を設置する事により保温効果を高め足元から腰までの痛みを楽にするものである。【選択図】図２
0003132929.tif 000002
【実用新案登録請求の範囲】
【請求項１】
敷き布団本体の足元に、マジックテープで取り外し可能な段差のあるマットを装着する。マット上部は遠赤外線反射生地を使い、電気を入れて暖められる様にし、両脇や足元を包み込む様にファスナーで取り外し可能なカバーで覆う足上げ電気敷き布団
【考案の詳細な説明】
【技術分野】
【０００１】  本考案は、敷き布団の足元に段差のあるマットを置き上層部に電気の熱が入る布団である。
【技術背景】
【０００２】  従来敷き布団の足元に取り外し可能で段差があり、その段差部分たけ熱の伝わるマットがなかった。
【考案の開示】
【考案が解決しようとす課題】
【０００３】  従来の敷き布団は平らで伸ばした状態の物よりなく、足を上げるために他の物で代用したが、安定感がなく足が滑り落ちていた。従って、敷き布団の機能と部分マットの装着更にその段差部分だけ電気が伝わる事を一体化することにより前途の欠点を解決しようとするものである。
【課題を解決するための手段】
【０００４】  本考案は、敷き布団本体の足元にマジックテープで取り外し可能な段差のあるマットを置き、マット上層部には電気による熱が伝わる様にし、且つその左右後方にファスナーで開閉ができるカバーを装着する事により足が滑り落ちず問題を解決している。
【考案の効果】
【０００５】  上述のように、本考案の足上げ電機敷き布団は敷き布団本体の足元にマジックテープで取り外し可能な段差のあるマットを置く事により足が滑り落ちず楽な姿勢を保つ事ができる。しかも電気の熱も伝わりそれを包み込むファスナー付きカバーもついてるので部分的な保温効果も期待できる。
【考案の実施するための最良の形態】
【０００６】  敷き布団本体上部に体に圧力を加えない形にした物であり、その足元にマジックテープで固定した段差のあるマットを装着し、その上部に電気入りマットをマジックテープで固定し、且つ両脇後部にファスナーを設け保温効果を高めたものである。
【０００７】  以下添付図面に従って一実施例を説明する。１は、保温効果を高めポリエステル素材で熱が逃げない上部保護カバーをかぶせており１ａは、取り外し可能なファスナーで袋状に装着し２ａは、電気で熱を伝える電熱マットを固定し保温効果を高め２ｂのプラスチック整の箱の中に温度切替装置を備えつけ３は、ポリエステル素材を使った上部敷きマットで２は足置き場にウレタンの整感圧を設け下層部にポリエステル素材の４ａでメッシュ生地を使ったマットである。通気性を第一に考え５にて各角々をナイロンのマジックテープで取り外し可能にする。
【０００８】  ４は、敷き布団本体で段差部分をナイロンマジックテープで装着し一体化する。素材はポリエステルを使用し保温性を高め６は、背部に整感圧を高めるウレタンを使用し下層部は通気性を重視したポリエステル素材のメッシュである。
【０００９】  本考案の実施例は上述の如き構成からなるものであるから、敷き布団の足元に段差のあるマットを装着し暖めながら楽な姿勢を保つものであるが３と２の段差を外した状態にする事により、全体に足を伸ばす状態且つ本来の形で休む事もできる。
【図面の簡単な説明】
【００１０】
【図１】本考案のヘルニア足上げ電気敷き布団
【図２】ヘルニア足上げ電気敷き布団の一部切欠断面図である。
【符号の説明】
【００１１】１    上部カバー１ａ  ファスナー２    上部敷きマット２ａ  電熱マット２ｂ  電気切替装置３    ウレタンマット４    敷き布団本体４ａ  メッシュ５    マジックテープ６    整感圧
【図１】
0003132929.tif 000003
【図２】
0003132929.tif 000004
【手続補正書】
【提出日】平成19年2月21日(2007.2.21)
【手続補正１】
【補正対象書類名】明細書
【補正対象項目名】全文
【補正方法】変更
【補正の内容】
【考案の詳細な説明】
【技術分野】
【０００１】  本考案は、敷き布団の足元に高さの異なるマットを置き上層部に電気の熱が入る布団である。
【技術背景】
【０００２】  従来敷き布団の足元に取り外し可能な高さの異なり、その上層部分たけ熱の伝わるマットがなかった。
【考案の開示】
【考案が解決しようとす課題】
【０００３】  従来の敷き布団は平らで伸ばした状態の物よりなく、足を上げるために他の物で代用したが、安定感がなく足が滑り落ちていた。従って、敷き布団の機能と高さの異なるマットの装着更にそのマット上層部分だけ電気が伝わる事を一体化することにより前途の欠点を解決しようとするものである。
【課題を解決するための手段】
【０００４】  本考案は、敷き布団本体の足元に面ファスナーで取り外し可能な高さの異なるマットを置き、マット上層部には電気による熱が伝わる様にし、且つその左右後方にファスナーで開閉ができるカバーを装着する事により足が滑り落ちず問題を解決している。
【考案の効果】
【０００５】  上述のように、本考案の足上げ電機敷き布団は敷き布団本体の足元に面ファスナーで取り外し可能な高さの異なるマットを置く事により足が滑り落ちず楽な姿勢を保つ事ができる。しかも電気の熱も伝わりそれを包み込むファスナー付きカバーもついてるので部分的な保温効果も期待できる。
【考案の実施するための最良の形態】
【０００６】  敷き布団本体上部に体に圧力を加えない形にした物であり、その足元に面ファスナーで固定した高さの異なるマットを装着し、その上層部に電気入りマットを面ファスナーで固定し、且つ両脇後部にファスナーを設け保温効果を高めたものである。
【０００７】  以下添付図面に従って一実施例を説明する。１は、保温効果を高めポリエステル素材で熱が逃げない上部保護カバーをかぶせており１ａは、取り外し可能なファスナーで袋状に装着し２ａは、電気で熱を伝えるマットを固定し保温効果を高め２ｂのプラスチック整の箱の中に温度切替装置を備えつけ３は、ポリエステル素材を使った上部敷きマットで２は足置き場にウレタンの整感圧を設け下層部にポリエステル素材の４ａでメッシュ生地を使ったマットである。通気性を第一に考え５にて各角々をナイロンの面ファスナーで取り外し可能にする。
【０００８】  ４は、敷き布団本体で段差部分を面ファスナで装着し一体化する。素材はポリエステルを使用し保温性を高め６は、背部に整感圧を高めるウレタンを使用し下層部は通気性を重視したポリエステル素材のメッシュである。
【０００９】  本考案の実施例は上述の如き構成からなるものであるから、敷き布団の足元に高さの異なるマットを装着し暖めながら楽な姿勢を保つものであるが３と２の段差を外した状態にする事により、全体に足を伸ばす状態且つ本来の形で休む事もできる。
【図面の簡単な説明】
【００１０】
【図１】本考案のヘルニア足上げ電気敷き布団
【図２】ヘルニア足上げ電気敷き布団の一部切欠断面図である。
【符号の説明】
【００１１】１    上部カバー
１ａ  ファスナー
２    上部敷きマット
２ａ  電熱マット
２ｂ  電気切替装置
３    ウレタンマット
４    敷き布団本体
４ａ  メッシュ
５    面ファスナー
６    整感圧
【手続補正２】
【補正対象書類名】実用新案登録請求の範囲
【補正対象項目名】請求項１
【補正方法】変更
【補正の内容】
【請求項１】
敷き布団本体の足元に、面ファスナーで取り外し可能な高さの異なるマットを装着し、マット上層部は遠赤外線反射生地により、電気を入れて暖められる様にし、両脇や足元を包み込む様にファスナーで取り外し可能なカバーで覆う足上げ電気敷き布団
【手続補正３】
【補正対象書類名】図面
【補正対象項目名】全図
【補正方法】変更
【補正の内容】
【図１】
0003132929.tif 000005
【図２】
0003132929.tif 000006